(57)【要約】【課題】人体に対する安全性が高く、少ない労力で効率よく打ち込むことができる支線アンカー打込み用ロッドおよびアース棒打込み用ロッドを提供する。【解決手段】ロッド本体１１が、一端１１ａに、支線アンカー１の各板状体２の後端側の端部の係合部３に係合可能な係合溝２１を有している。ロッド本体１１は、他端１１ｂに、ブレーカ４のシャンク取付孔に取付可能な挿入軸部２２を有している。各板状体２の係合部３に、ロッド本体１１の係合溝２１を係合させ、ブレーカ４のシャンク用取付孔に、ロッド本体１１の挿入軸部２２を挿入して取り付ける。ブレーカ４を駆動させ、ロッド本体１１を介して各板状体２を地中に押し込むようにして、打ち込む。【選択図】図１
0003119172.tif 000002
【実用新案登録請求の範囲】
【請求項１】
後端に係合部を有する２枚の板状体から成る支線アンカーをブレーカで地中に打ち込むための支線アンカー打込み用ロッドであって、
ロッド本体の一端に各板状体の係合部に係合可能な係合溝を有し、他端にブレーカのシャンク取付孔に取付可能な挿入軸部を有することを、
特徴とする支線アンカー打込み用ロッド。
【請求項２】
複数のアース棒を継ぎ足しながらブレーカで地中に打ち込むためのアース棒打込み用ロッドであって、
ロッド本体の一端に各アース棒の後端側の端部を所定の長さ挿入可能な挿入孔を有し、他端にブレーカのシャンク取付孔に取付可能な挿入軸部を有することを、
特徴とするアース棒打込み用ロッド。
【考案の詳細な説明】
【技術分野】
【０００１】
本考案は、支線アンカー打込み用ロッドおよびアース棒打込み用ロッドに関する。
【背景技術】
【０００２】
従来、支線アンカーを地中に打ち込むときは、板状体を１枚ずつ、または２枚の板状体を一度に、専用のロッド等で地中に押し込むよう、ハンマーで叩いて人力で打ち込んでいた（例えば、特許文献１参照）。また、打ち込むとき、電動ハンマーを利用することもあった。
【０００３】
【特許文献１】実公昭６１−３８９９０号公報
【考案の開示】
【考案が解決しようとする課題】
【０００４】
しかしながら、従来のハンマーで叩いて人力で打ち込む方法では、支線アンカーを固い地盤や深い地盤に設置する必要があるため、多大な労力を要し、作業効率も悪いという課題があった。また、電動ハンマーを利用する場合には、振動が激しいため、作業者の神経が侵されるなど、作業者の人体に悪影響を及ぼす危険性があるという課題もあった。
【０００５】
本考案は、このような従来の課題に着目してなされたもので、人体に対する安全性が高く、少ない労力で効率よく打ち込むことができる支線アンカー打込み用ロッドおよびアース棒打込み用ロッドを提供することを目的とする。
【課題を解決するための手段】
【０００６】
上記目的を達成するために、本考案に係る支線アンカー打込み用ロッドは、後端に係合部を有する２枚の板状体から成る支線アンカーをブレーカで地中に打ち込むための支線アンカー打込み用ロッドであって、ロッド本体の一端に各板状体の係合部に係合可能な係合溝を有し、他端にブレーカのシャンク取付孔に取付可能な挿入軸部を有することを、特徴とする。
【０００７】
本考案に係る支線アンカー打込み用ロッドは、以下のようにして使用される。まず、支線アンカーを、地表の打込み位置に打ち込める状態で配置する。板状体を１枚ずつ打ち込む支線アンカーでは１枚の板状体の係合部に、２枚の板状体を一度に打ち込む支線アンカーでは２枚をまとめた板状体の係合部に、ロッド本体の一端の係合溝を係合させる。ブレーカのシャンク用取付孔に、ロッド本体の他端の挿入軸部を挿入して取り付ける。
【０００８】
ブレーカを駆動させ、ロッド本体を介して板状体を地中に押し込むようにして、打ち込む。板状体を１枚ずつ打ち込む支線アンカーでは、もう一枚の板状体も同様にして地中に打ち込む。こうして、深部に向かって２枚の板状体の間隔が拡がるよう、支線アンカーを地中に打ち込むことができる。
【０００９】
このように、本考案に係る支線アンカー打込み用ロッドは、ブレーカを利用することができるため、ハンマーで叩いて人力で打ち込む場合に比べて、少ない労力で効率よく支線アンカーを打ち込むことができる。また、ブレーカが電動ハンマーより低振動であるため、電動ハンマーを利用する場合に比べて作業者に与える影響が少なく、人体に対する安全性が高い。
【００１０】
本考案に係るアース棒打込み用ロッドは、複数のアース棒を継ぎ足しながらブレーカで地中に打ち込むためのアース棒打込み用ロッドであって、ロッド本体の一端に各アース棒の後端側の端部を所定の長さ挿入可能な挿入孔を有し、他端にブレーカのシャンク取付孔に取付可能な挿入軸部を有することを、特徴とする。
【００１１】
本考案に係るアース棒打込み用ロッドは、以下のようにして使用される。まず、先端のアース棒を、地表の打込み位置に打ち込める状態で配置する。ロッド本体の一端の挿入孔に、そのアース棒の後端側の端部を挿入する。ブレーカのシャンク取付孔に、ロッド本体の他端の挿入軸部を挿入して取り付ける。
【００１２】
ブレーカを駆動させ、ロッド本体を介してアース棒を地中に押し込むようにして、打ち込む。そのアース棒を地表付近まで打ち込んだならば、ロッド本体を外して、次のアース棒を継ぎ足す。ロッド本体の挿入孔に、継ぎ足したアース棒の後端側の端部を挿入して打ち込む。こうして、複数のアース棒を継ぎ足しながら打ち込むことができる。
【００１３】
このように、本考案に係るアース棒打込み用ロッドは、ブレーカを利用することができるため、ハンマーで叩いて人力で打ち込む場合に比べて、少ない労力で効率よくアース棒を打ち込むことができる。また、ブレーカが電動ハンマーより低振動であるため、電動ハンマーを利用する場合に比べて作業者に与える影響が少なく、人体に対する安全性が高い。
【考案の効果】
【００１４】
本考案によれば、人体に対する安全性が高く、少ない労力で効率よく打ち込むことができる支線アンカー打込み用ロッドおよびアース棒打込み用ロッドを提供することができる。
【考案を実施するための最良の形態】
【００１５】
以下、図面に基づき本考案の実施の形態について説明する。
図１乃至図３は、本考案の実施の形態の支線アンカー打込み用ロッドを示している。
図１乃至図３に示すように、支線アンカー打込み用ロッド１０は、ロッド本体１１を有している。
【００１６】
支線アンカー１には、市販製品（例えば、日本地工株式会社製、商品名「チコーアンカー８０型」や、日本地工株式会社製、商品名「ミニテーアンカー」など）を用いることができる。図２および図３に示すように、支線アンカー１は、２枚の板状体２を有し、深部に向かって２枚の板状体２の間隔が拡がるよう、地中に打ち込まれる。各板状体２は、後端側の端部に係合部３を有している。支線アンカー１は、例えば、電力送電支柱の転倒防止、道路や鉄道の路線上の落石や雪崩防護施設の転倒防止、果樹棚の固定、ビニールハウスの固定、用水路の固定などに使用される。
【００１７】
図１に示すように、ロッド本体１１は、金属製で、一端１１ａが先に向かって厚さが薄くなるよう形成されている。ロッド本体１１は、一端１１ａに係合溝２１を有し、他端１１ｂに挿入軸部２２を有している。係合溝２１は、Ｕ字溝から成り、厚さ方向に沿って、厚みを貫通して設けられている。係合溝２１は、各板状体２の係合部３に係合可能になっている。挿入軸部２２は、他端１１ｂに設けられ、六角形の断面形状を成している。挿入軸部２２は、市販のブレーカ４（例えば、商品名「ジャックハンマー」）のシャンク取付孔（図示せず）に取付可能になっている。ロッド本体１１は、挿入軸部２２の一端１１ａの側に鍔２３を有している。
【００１８】
次に、作用について説明する。
支線アンカー打込み用ロッド１０は、以下のようにして使用される。支線アンカー１として、板状体２を１枚ずつ打ち込む支線アンカー（日本地工株式会社製、商品名「チコーアンカー８０型」など）を使用した場合、図２（ａ）に示すように、まず、支線アンカー１の１枚目の板状体２ａを、地表の打込み位置に打ち込める状態で配置する。１枚目の板状体２ａの係合部３ａに、ロッド本体１１の一端１１ａの係合溝２１を係合させる。ブレーカ４のシャンク取付孔に、ロッド本体１１の他端１１ｂの挿入軸部２２を挿入して取り付ける。
【００１９】
ブレーカ４を駆動させ、ロッド本体１１を介して１枚目の板状体２ａを地中に押し込むようにして、打ち込む。さらに、図２（ｂ）に示すように、２枚目の板状体２ｂの係合部３ｂに、ロッド本体１１の係合溝２１を係合させて、同様にして地中に打ち込む。こうして、図２（ｃ）に示すように、深部に向かって２枚の板状体２ａ，２ｂの間隔が拡がるよう、支線アンカー１を地中に打ち込むことができる。
【００２０】
また、支線アンカー１として、２枚の板状体２を一度に打ち込む支線アンカー（日本地工株式会社製、商品名「ミニテーアンカー」など）を使用した場合、図３（ａ）に示すように、まず、支線アンカー１を、地表の打込み位置に打ち込める状態で配置する。２枚をまとめた板状体２の係合部３に、ロッド本体１１の一端１１ａの係合溝２１を係合させる。ブレーカ４のシャンク取付孔に、ロッド本体１１の他端１１ｂの挿入軸部２２を挿入して取り付ける。
【００２１】
ブレーカ４を駆動させ、ロッド本体１１を介して各板状体２を地中に押し込むようにして、打ち込む。こうして、図３（ｂ）に示すように、深部に向かって２枚の板状体２の間隔が拡がるよう、支線アンカー１を地中に打ち込むことができる。
【００２２】
このように、支線アンカー打込み用ロッド１０は、ブレーカ４を利用することができるため、ハンマーで叩いて人力で打ち込む場合に比べて、少ない労力で効率よく支線アンカー１を打ち込むことができる。また、ブレーカ４が電動ハンマーより低振動であるため、電動ハンマーを利用する場合に比べて作業者に与える影響が少なく、人体に対する安全性が高い。
【００２３】
図４および図５は、本考案の実施の形態のアース棒打込み用ロッドを示している。
図４および図５に示すように、アース棒打込み用ロッド３０は、ロッド本体３１を有している。
【００２４】
なお、図５に示すように、アース棒５は、金属製で、導電性を有している。アース棒５は、先端側の端部５ａに雌ネジを有し、後端側の端部５ｂにその雌ネジに螺号する雄ネジを有している。なお、先端のアース棒５は、後端側の端部５ｂに雌ネジに螺合する雄ネジを有し、先端側の端部５ａが滑らかな形状に形成されている。アース棒５は、複数を継ぎ足しながら地中に打ち込むようになっている。
【００２５】
図４に示すように、ロッド本体３１は、金属製で、一端３１ａに挿入孔４１を有し、他端３１ｂに挿入軸部４２を有している。挿入孔４１は、各アース棒５の後端側の端部５ｂの径よりやや大きい内径を有する丸孔から成っている。挿入孔４１は、所定の深さを有し、一端３１ａの側に向かって開口している。挿入孔４１は、各アース棒５の後端側の端部５ｂを所定の長さ挿入可能である。挿入軸部４２は、他端３１ｂに設けられ、六角形の断面形状を成している。挿入軸部４２は、市販のブレーカ４（例えば、商品名「ジャックハンマー」）のシャンク取付孔（図示せず）に取付可能になっている。ロッド本体３１は、挿入軸部４２の一端３１ａの側に鍔４３を有している。
【００２６】
次に、作用について説明する。
アース棒打込み用ロッド３０は、以下のようにして使用される。まず、図５（ａ）に示すように、先端のアース棒５を、地表の打込み位置に打ち込める状態で配置する。ロッド本体３１の一端３１ａの挿入孔４１に、そのアース棒５の後端側の端部５ｂを挿入する。ブレーカ４のシャンク取付孔に、ロッド本体３１の他端３１ｂの挿入軸部４２を挿入して取り付ける。
【００２７】
ブレーカ４を駆動させ、ロッド本体３１を介してアース棒５を地中に押し込むようにして、打ち込む。そのアース棒５を地表付近まで打ち込んだならば、図５（ｂ）に示すように、ロッド本体３１を外して、次のアース棒５を継ぎ足す。ロッド本体３１の挿入孔４１に、継ぎ足したアース棒５の後端側の端部５ｂを挿入して打ち込む。こうして、複数のアース棒５を継ぎ足しながら打ち込むことができる。
【００２８】
このように、アース棒打込み用ロッド３０は、ブレーカ４を利用することができるため、ハンマーで叩いて人力で打ち込む場合に比べて、少ない労力で効率よくアース棒５を打ち込むことができる。また、ブレーカ４が電動ハンマーより低振動であるため、電動ハンマーを利用する場合に比べて作業者に与える影響が少なく、人体に対する安全性が高い。
【図面の簡単な説明】
【００２９】
【図１】本考案の実施の形態の支線アンカー打込み用ロッドを示す（ａ）正面図、（ｂ）平面図である。
【図２】図１に示す支線アンカー打込み用ロッドの、板状体を１枚ずつ打ち込む支線アンカーに対する使用状態を示す側面図である。
【図３】図１に示す支線アンカー打込み用ロッドの、２枚の板状体を一度に打ち込む支線アンカーに対する使用状態を示す側面図である。
【図４】本考案の実施の形態のアース棒打込み用ロッドを示す（ａ）正面図、（ｂ）平面図、（ｃ）右側面図である。
【図５】図４に示すアース棒打込み用ロッドの使用状態を示す側面図である。
【符号の説明】
【００３０】
１    支線アンカー
２    板状体
３    係合部
４    ブレーカ
５    アース棒
１０  支線アンカー打込み用ロッド
１１  ロッド本体
２１  係合溝
２２  挿入軸部
２３  鍔
３０  アース棒打込み用ロッド
【図１】
0003119172.tif 000003
【図２】
0003119172.tif 000004
【図３】
0003119172.tif 000005
【図４】
0003119172.tif 000006
【図５】
0003119172.tif 000007